(57)【要約】【課題】蓋体を被着した状態で容器本体を積み重ねるときもスムーズに積み重ねることができて取り扱いが容易にできる運搬用容器を提供する。【解決手段】容器本体１の側壁部３の外面側に載置面５を設け、複数の容器本体１を上下に積み重ねた際に下に位置する容器本体１の上縁部に上に位置する容器本体１の載置面５を載置することで複数の容器本体１をスタッキング状態で積み重ね得る運搬用容器である。容器本体１の上面開口を閉塞し得る蓋体２を容器本体１に着脱自在に被着する。蓋体２の上に容器本体１を載置した状態で上に位置する容器本体１の下部外面に内側面部６ｂが沿い且つ載置面５に上面部６ａが沿う凸脈部６を蓋体２に突設する。蓋体２上で容器本体１をスライドさせて重ねる際に載置面５が凸脈部６の上面部６ａに載るようにガイドするガイド部７を凸脈部６の内側面部６ｂと上面部６ａとの間に形成する。【選択図】　　　　図１６
2004035097.tif 000002
【特許請求の範囲】
【請求項１】
上面を開口せる角型の容器本体の側壁部の外面側に側壁部の下端より上の位置で外側に突出する載置面を設け、複数の容器本体を上下に積み重ねた際に下に位置する容器本体の上縁部に上に位置する容器本体の載置面を載置することで複数の容器本体をスタッキング状態で積み重ねし得るようにした運搬用容器であって、容器本体の上面開口を全面に亙って閉塞し得る蓋体を容器本体に着脱自在に被着し、蓋体の上に容器本体を載置した状態で上に位置する容器本体の下部外面に内側面部が沿い且つ載置面に上面部が沿う凸脈部を蓋体の周囲に上方に突設し、蓋体上で容器本体をスライドさせて重ねる際に載置面が凸脈部の上面部に載るようにガイドするガイド部を凸脈部の内側面部と上面部との間に内側面部から上面部に向かって徐々に拡開するように形成したことを特徴とする運搬用容器。
【請求項２】
容器本体の四隅の近傍で隣り合う側壁部に載置面を設け、蓋体の四隅で隣り合う辺に亙って凸脈部を設け、この四隅の部分で凸脈部にガイド部を隣り合う２辺に亙るように形成したことを特徴とする請求項１記載の運搬用容器。
【発明の詳細な説明】
【０００１】
【発明の属する技術分野】
本発明は、内容物を収納して運搬し得るようにした運搬用容器に関し、詳しくは蓋体を付けた状態でも蓋体を外した状態でもスタッキング状態に積み重ねることができる運搬用容器に関するものである。
【０００２】
【従来の技術】
従来、この種の運搬用容器としては図１９に示すようなものがあり、上面を開口せる角型の容器本体１と容器本体１の上面開口に着脱自在に被着し得る蓋体２とで構成されている。容器本体１の側壁部３の外周面には側壁部３の下端よりやや上の位置に突片４を設けてあり、この突片４の下面を載置面５としてある。また蓋体２の上面の周縁には凸脈部６を突設してある。
【０００３】
容器本体１に蓋体２を被着しないで容器本体１を積み重ねるときは、図２０のように下に位置する容器本体１の上面開口に上に位置する容器本体１の下端部を入れ、上に位置する容器本体１の載置面５を下に位置する容器本体１の上端面に載置してスタッキング状態に積み重ねるようになっている。
【０００４】
容器本体１の上面に蓋体２を被着した状態で容器本体１を積み重ねるときは、図２１に示すように下に位置する容器本体１の蓋体２の凸脈部６で囲まれる部分に上に位置する容器本体１の下端部を入れ、凸脈部６の上面部６ａの上に載置面５を載置してスタッキング状態に積み重ねるようになっている。
【０００５】
【発明が解決しようとする課題】
上記の運搬用容器では蓋体２を被着しないで容器本体１をスタッキング状態に積み重ねるときも蓋体２を被着してスタッキング状態に積み重ねるときも、安定よく積み重ねることができるが、蓋体２を被着した状態でスタッキング状態で積み重ねるとき次の弊害がある。つまり、蓋体２を容器本体１に被着した状態で積み重ねるとき、図２２のように上の重ねる容器本体１を傾けた状態で容器本体１の一端の下端を蓋体２の上面に対して滑らせて重ねるが、このようにすると滑らす方向にある突片４の先端が図２３に示すように凸脈部６の内側面部６ｂに当り、滑らす方向に押すだけではこの突片４の載置面５が凸脈部６の上面に載らなく、スタッキング状態に積み重ねる取り扱いがしにくいという問題がある。
【０００６】
本発明は上記の点に鑑みてなされたものであり、蓋体を被着した状態で容器本体を積み重ねるときもスムーズに積み重ねることができて取り扱いが容易にできる運搬用容器を提供することを課題とするものである。
【０００７】
【課題を解決するための手段】
上記課題を解決するための本発明の運搬用容器は、上面を開口せる角型の容器本体１の側壁部３の外面側に側壁部３の下端より上の位置で外側に突出する載置面５を設け、複数の容器本体１を上下に積み重ねた際に下に位置する容器本体１の上縁部に上に位置する容器本体１の載置面５を載置することで複数の容器本体１をスタッキング状態で積み重ねし得るようにした運搬用容器であって、容器本体１の上面開口を全面に亙って閉塞し得る蓋体２を容器本体１に着脱自在に被着し、蓋体２の上に容器本体１を載置した状態で上に位置する容器本体１の下部外面に内側面部６ｂが沿い且つ載置面５に上面部６ａが沿う凸脈部６を蓋体２の周囲に上方に突設し、蓋体２上で容器本体１をスライドさせて重ねる際に載置面５が凸脈部６の上面部６ａに載るようにガイドするガイド部７を凸脈部６の内側面部６ｂと上面部６ａとの間に内側面部６ｂから上面部６ａに向かって徐々に拡開するように形成したことを特徴とする。蓋体２を被着した状態で容器本体１をスタッキング状態に積み重ねた状態では上に位置する容器本体１の下部外面が蓋体２の凸脈部６の内側面部６ｂが沿うと共に載置面５が凸脈部６の上面部６ａに沿い、蓋体２を被着した状態で容器本体１をスタッキング状態に安定よく積み重ねることができる。蓋体２を被着した容器本体１をスタッキング状態に積み重ねるとき、上に位置する容器本体１の一端の下端を下に位置する蓋体２の上面に対して滑らせて重ねるが、滑らす方向に凸脈部６があっても凸脈部６のガイド部７にガイドされて載置面５が凸脈部６の上面部６ａに乗り上げるものであって、スムーズに積み重ねることできて取り扱いが容易にできる。
【０００８】
また容器本体１の四隅の近傍で隣り合う側壁部３に載置面５を設け、蓋体２の四隅で隣り合う辺に亙って凸脈部６を設け、この四隅の部分で凸脈部６にガイド部７を隣り合う２辺に亙るように形成したことを特徴とすることも好ましい。蓋体２を被着した状態でスタッキング状態に積み重ねたとき、蓋体４の四隅で隣り合う２辺に亙る凸脈部６で上に位置する容器本体１が位置決めされて安定よくスタッキング状態に積み重ねることができる。上に位置する容器本体１を蓋体２の上面に対して滑らせて積み重ねるとき、直交する何れの方向に滑らせてもスムーズに積み重ねることができて取り扱いが容易にできる。
【０００９】
【発明の実施の形態】
以下本発明を添付図面に示す実施の形態の例に基づいて説明する。本例の運搬用容器は、内部が中空の略直方体状であり、上面を開口せる角型の容器本体１と、容器本体１の上面に上面開口を閉塞するように被着する蓋体２とで構成されている。
【００１０】
図１乃至図６に容器本体１の全体の平面図、正面図、背面図、左側面図、右側面図及び底面図を示している。容器本体１は底面板８と底面板８の四周に一体に立設した４つ側壁部３とで上面を開口せる角箱状に形成されている。この４つの側壁部３は長辺側の一対の側壁部３ａ，３ｂと短辺側の一対の側壁部３ｃ，３ｄとで構成されいる。また側壁部３は上部から下に行くほど内側に行くように緩い勾配がついている。四周の側壁部３の上端には外方に向けて突出するフランジ９を設けてある。
【００１１】
容器本体１の側壁部３の外面には支持脚１０を突出して形成してある。長辺側の一方の側壁部３ａの両側付近の下部には支持脚１０として支持脚１０ａと支持脚１０ｂとを設けてあり、一方の支持脚１０ａが他方の支持脚１０ｂよりも幅が狭くなっている。また長辺側の他方の側壁部３ｂの上部の内面側には平面視で容器本体１の中心点Ｏを中心として支持脚１０ａ，１０ｂと点対称の位置にそれぞれ支持脚１０ａ，１０ｂを嵌入することができる上方及び内方が開口したポケット部１１ａ，１１ｂが各々形成してある。
【００１２】
同様に、長辺側の他方の側壁部３ｂの両側付近の下部には夫々支持脚１０ａ，１０ｂが形成してあり、また長辺側の一方の側壁部３ａの上部の内面側には該支持脚１０ａ，１０ｂが嵌入することのできるポケット部１１ａ，１１ｂが容器本体１の中心点Ｏを中心として支持脚１０ａ，１０ｂと点対称の位置に各々形成してある。
【００１３】
また短辺側の側壁部３ｃ，３ｄのうち一方の短辺側の側壁部３ｃの外面の両側付近の下部には夫々支持脚１０ｃ，１０ｄが突出して形成されている。また短辺側の他方の側壁部３ｄの上部の内面側には平面視で容器本体１の中心点Ｏを中心として支持脚１０ｃ，１０ｄと点対称の位置に夫々支持脚１０ｃ，１０ｄを嵌入することができるポケット部１１ｃ，１１ｄが各々形成してある。
【００１４】
同様に、短辺側の他方の側壁部３ｄの両側付近の下部には夫々支持脚１０ｃ，１０ｄが形成してあり、また短辺側の一方の側壁部３ｃの上面の内面側には該支持脚１０ｃ，１０ｄが嵌入することのできるポケット部１１ｃ，１１ｄが平面視で容器本体１の中心点Ｏを中心として点対称の位置に各々形成してある。
【００１５】
容器本体１の外面には上記のように支持脚１０が設けられるが、支持脚１０の下端面は載置面５となっている。上記のような構成の運搬用容器の容器本体１は合成樹脂により一体に形成してある。
【００１６】
このような容器本体１を上下に積み重ねるとき、上下に位置する容器本体１の側壁部３ａ，３ｂ，３ｃ，３ｄが平面視で同じ位置に位置するように積み重ねると、上に位置する容器本体１の支持脚１０の下端の載置面５が下に位置する容器本体１のフランジ９の上面に載せられ、図７に示すようにスタッキング状態に積み重ねられる。またこの状態で上に位置する容器本体１を平面視で１８０°回転すると、上に位置する容器本体１の支持脚１０ａ，１０ｂ、１０ａ，１０ｂ及び支持脚１０ｃ，１０ｄ、１０ｃ，１０ｄを下に位置する容器本体１のポケット部１１ａ，１１ｂ、１１ａ，１１ｂ及びポケット部１１ｃ，１１ｄ、１１ｃ，１１ｄには嵌め込んで図８に示すようにネスティング状態に積み重ねて嵩低くできる。
【００１７】
運搬用容器の蓋体２は図９乃至図１１に示すように容器本体１の上面開口を覆う矩形板状に形成されており、合成樹脂にて一体に形成されている。蓋体２の外周には下方に突出する縁部１２を全周に亙って設けてあり、容器本体１の上に蓋体２を被せたとき、縁部１２がフランジ９の外周に被嵌し得るようになっている。蓋体２の上面の周縁には上方に凸曲する凸脈部６を上方に突出するように設けてある。この凸脈部６は上面部６ａと内側面部６ｂと外側面部６ｃとで断面略コ字状に形成されている。
【００１８】
上記凸脈部６は本例の場合、コーナ部で隣り合う２辺に亙ってＬ字状に設けたコーナー部用の凸脈部６Ａと長辺と平行になるように設けた長辺用の凸脈部６Ｂとで構成されている。そしてコーナー部用の凸脈部６Ａの上面部６ａと内側面部６ｂとの間には図１２に示すようにガイド部７を設けてあり、このガイド部７は内側面部６ｂの方から上面部６ａに向かって徐々に拡開するように形成してある。本例の場合ガイド部７は傾斜ガイド面７ａにて形成されている。この傾斜ガイド面７ａからなるガイド部７はコーナー部用の凸脈部６Ａの全長に亙って設けてある。上記のように構成せる蓋体２は図１３に示すように複数枚積み重ねることができる。
【００１９】
運搬用容器の容器本体１と蓋体２とが上記のように構成されるが、容器本体１に蓋体２を被着した状態で積み重ねられることもある。蓋体２を容器本体１に被着した状態で容器本体１を積み重ねたときには図１４に示すように上に位置する容器本体１の下端部が下に位置する蓋体２の凸脈部６にて囲まれた部分に嵌り込み、載置面５が凸脈部６の上面部６ａ上に載る。これにより蓋体２を被着した状態でも上下積み重ねた容器本体１が水平方向にずれたりしないようにできる。このとき、四隅にコーナー部用の凸脈部６Ａがあるために容器本体１が長辺と平行な方向及び短辺と平行な方向にずれないように積み重ねることができる。
【００２０】
また蓋体２を被着した容器本体１を上に積み重ねるとき、図１５に示すように上に位置する容器本体１の長辺方向または短辺方向の端部の下端を下の蓋体２の上面に載せ、容器本体１を長辺方向または短辺方向にスライドさせて積み重ねるが、スライドによりスライドする方向の載置面５の先端が凸脈部６の内側面部６ｂに当るように近接したとき、図１６に示すように載置面５の先端がガイド部７としての傾斜ガイド面７ａに乗り上げ、さらにスライドさせることにより傾斜ガイド面７ａにガイドされて載置面５が上面部６ａにスムーズに載る。このときコーナー部用の凸脈部６Ａの２辺に傾斜ガイド面７ａを設けてあるために容器本体１を長辺方向にスライドさせるときも短辺方向にスライドさせるときもスライドする方向の載置面５の先端が傾斜ガイド面７ａにガイドされてスムーズに載置面５が上面部６ａに載る。
【００２１】
上記の例では傾斜ガイド面７ａにてガイド部７を形成した例について述べたが、
図１７や図１８に示すようにガイド部７を形成してもよい。図１７の例では上面部６ａと内側面部６ｂとの間に断面円弧状の面取り部７ｂを設けてあり、面取り部７ｂの上下に部分的に傾斜リブ７ｃ，７ｄを設けてあり、面取り部７ｂと傾斜リブ７ｃ，７ｄとでガイド部７を形成してある。図１８の例では上面部６ａと内側面部６ｂとの間の段部の内隅部に突条７ｅを長手方向に亙るように設けてあると共に部分的に傾斜リブ７ｆを設けてあり、突条７ｅと傾斜リブ７ｆにてガイド部７を形成してある。この場合、傾斜リブ７ｆを設けるだけでガイド部７としても、突条７ｆを設けるだけでガイド部７としてもよい。
【００２２】
【発明の効果】
本発明の請求項１の発明は、容器本体の上面開口を全面に亙って閉塞し得る蓋体を容器本体に着脱自在に被着し、蓋体の上に容器本体を載置した状態で上に位置する容器本体の下部外面に内側面部が沿い且つ載置面に上面部が沿う凸脈部を蓋体の周囲に上方に突設したので、蓋体を被着した状態で容器本体をスタッキング状態に積み重ねた状態では上に位置する容器本体の下部外面が蓋体の凸脈部の内側面部が沿うと共に載置面が凸脈部の上面部に沿い、蓋体を被着した状態で容器本体をスタッキング状態に安定よく積み重ねることができるものであり、しかも蓋体上で容器本体をスライドさせて重ねる際に載置面が凸脈部の上面部に載るようにガイドするガイド部を凸脈部の内側面部と上面部との間に内側面部から上面部に向かって徐々に拡開するように形成したので、蓋体を被着した容器本体をスタッキング状態に積み重ねるとき、上に位置する容器本体の一端の下端を下に位置する蓋体の上面に対して滑らせて重ねるが、滑らす方向に凸脈部があっても凸脈部のガイド部にガイドされて載置面が凸脈部の上面部に乗り上げるものであって、スムーズに積み重ねることできて取り扱いが容易にできるものである。
【００２３】
また本発明の請求項２の発明は、請求項１において、容器本体の四隅の近傍で隣り合う側壁部に載置面を設け、蓋体の四隅で隣り合う辺に亙って凸脈部を設け、この四隅の部分で凸脈部にガイド部を隣り合う２辺に亙るように形成したので、蓋体を被着した状態で容器本体をスタッキング状態に積み重ねたとき、蓋体の四隅で隣り合う２辺に亙る凸脈部で上に位置する容器本体が位置決めされて安定よくスタッキング状態に積み重ねることができるのは勿論、上に位置する容器本体を蓋体の上面に対して滑らせて積み重ねるとき、直交する何れの方向に滑らせてもスムーズに積み重ねることができて取り扱いが容易にできるものである。
【図面の簡単な説明】
【図１】本発明の実施の形態の一例の運搬用容器の容器本体の平面図である。
【図２】同上の容器本体の正面図である。
【図３】同上の容器本体の背面図である。
【図４】同上の容器本体の左側面図である。
【図５】同上の容器本体の右側面図である。
【図６】同上の容器本体の底面図である。
【図７】同上の容器本体をスタッキング状態に積み重ねたときの正面から見た断面図である。
【図８】同上の容器本体をネスティング状態に積み重ねたときの正面から見た断面図である。
【図９】同上の蓋体を示し（ａ）は平面図、（ｂ）は正面図、（ｃ）右側面図である。
【図１０】同上の蓋体の底面図である。
【図１１】図９（ａ）のＸ−Ｘ線で切断した断面図である。
【図１２】図９（ａ）のＹ−Ｙ線で切断した拡大断面図である。
【図１３】同上の蓋体を積み重ねた状態の要部の断面図である。
【図１４】同上の蓋体を被着した容器本体を積み重ねた状態の正面から見た断面図である。
【図１５】同上の容器本体をスライドさせて積み重ねる状態を示す断面図である。
【図１６】同上の載置面がガイド部にガイドされる状態を説明する断面図である。
【図１７】同上のガイド部の他の例の断面図である。
【図１８】同上のガイド部のさらに他の例の断面図である。
【図１９】従来例の運搬用容器の容器本体及び蓋体の断面図である。
【図２０】従来例の容器本体をスタッキング状態に積み重ねた状態の断面図である。
【図２１】従来例の蓋体を被着した容器本体を積み重ねた状態を示す断面図である。
【図２２】従来例の容器本体をスライドさせて積み重ねる状態を示す断面図である。
【図２３】従来例の問題を示す要部の断面図である。
【符号の説明】
１　容器本体
２　蓋体
３　側壁部
５　載置面
６　凸脈部
６ａ　上面部
６ｂ　内側面部
７　ガイド部
【図１】
2004035097.tif 000003
【図２】
2004035097.tif 000004
【図３】
2004035097.tif 000005
【図４】
2004035097.tif 000006
【図５】
2004035097.tif 000007
【図６】
2004035097.tif 000008
【図７】
2004035097.tif 000009
【図８】
2004035097.tif 000010
【図９】
2004035097.tif 000011
【図１０】
2004035097.tif 000012
【図１１】
2004035097.tif 000013
【図１２】
2004035097.tif 000014
【図１３】
2004035097.tif 000015
【図１４】
2004035097.tif 000016
【図１５】
2004035097.tif 000017
【図１６】
2004035097.tif 000018
【図１７】
2004035097.tif 000019
【図１８】
2004035097.tif 000020
【図１９】
2004035097.tif 000021
【図２０】
2004035097.tif 000022
【図２１】
2004035097.tif 000023
【図２２】
2004035097.tif 000024
【図２３】
2004035097.tif 000025